(57)【要約】【課題】工具係合部と筒状のフード部を備えたコネクタにおいて、工具係合部のサイズを大きくすることなくフード部に設けられるリブの形状を大きくする。【解決手段】多角柱状の工具係合部７と、工具係合部７の中心軸Ｃ１の延伸方向から見たときに、工具係合部７の内側に位置し、外周１３の角数が工具係合部７の角数よりも少ない多角柱の筒状に形成されているフード部９と、工具係合部７の中心軸Ｃ１の延伸方向から見たときに、工具係合部７の内側でフード部９の辺部２５に設けられているリブ１１とを有するコネクタ１である。【選択図】図１
2015225834.tif 000002
【特許請求の範囲】
【請求項１】
多角柱状の工具係合部と、
前記工具係合部の中心軸の延伸方向から見たときに、前記工具係合部の内側に位置し、外周の角数が前記工具係合部の角数よりも少ない多角柱の筒状に形成されているフード部と、
前記工具係合部の中心軸の延伸方向から見たときに、前記工具係合部の内側で前記フード部の辺部に設けられているリブと、
を有することを特徴とするコネクタ。
【請求項２】
請求項１に記載のコネクタにおいて、
前記工具係合部は六角柱状に形成されており、
前記フード部は三角柱の筒状に形成されており、
前記工具係合部の中心軸の延伸方向から見ると、前記工具係合部の６つの角部のうちで１つおきに配置されている第１群の３つの角部の各偏角のそれぞれと、前記フード部の外周の３つの角部の各偏角のそれぞれとが一致していることを特徴とするコネクタ。
【請求項３】
請求項１または請求項２に記載のコネクタにおいて、
前記工具係合部の中心軸の延伸方向から見たときに前記工具係合部の内側で前記フード部の外周に設けられ、相手側コネクタが接合されたときに前記相手側コネクタの被係止部が係止される係止部を構成する突出部を有することを特徴とするコネクタ。
【請求項４】
多角柱状の工具係合部と、
前記工具係合部の中心軸の延伸方向から見たときに、前記工具係合部の内側に位置し、外周の角数が前記工具係合部の角数よりも少ない多角柱で筒状に形成されているフード部と、
を有し、前記工具係合部の中心軸の延伸方向から見たときに前記工具係合部の内側で前記フード部の辺部に設けられているリブ、前記工具係合部の中心軸の延伸方向から見たときに前記工具係合部の内側で前記フード部の外周に設けられ相手側コネクタが接合されたときに前記相手側コネクタの被係止部が係止される係止部を構成する突出部の少なくともいずれかを具備することを特徴とするコネクタ。
【発明の詳細な説明】
【技術分野】
【０００１】
本発明は、コネクタに係り、特に、多角柱状の工具係合部と筒状のフード部とを備えたものに関する。
【背景技術】
【０００２】
従来、図１２で示すような、背の低い六角柱状の工具係合部（締結部）３０１と、円筒状のフード部３０３とを備えたオスコネクタ３０５が知られている。
【０００３】
オスコネクタ３０５には、オスネジ部が設けられている。オスネジ部は、図示していないが、たとえば、図１２で示すものの右端から突出している。そして、工具係合部３０１に係合された工具によって回転されることで、図示しないエンジンのシリンダヘッドに設けられているメスネジ部に上記オスネジ部が螺合し、オスコネクタ３０５が上記シンンダヘッドに設置されるようになっている。
【０００４】
なお、従来のコネクタに関する特許文献としてたとえば特許文献１、特許文献２を掲げることができる。
【先行技術文献】
【特許文献】
【０００５】
【特許文献１】米国特許出願公開２０１０／００３８４１Ａ１号明細書
【特許文献２】特願２０１２−２８０７８４
【発明の概要】
【発明が解決しようとする課題】
【０００６】
ところで、オスコネクタ３０５において、フード部３０３の外周に設けられている間口合わせリブ３０７の形状を大きくしようとすると、図１３で示すように、工具係合部３０１の大きさ（２面幅Ｂ１１）を大きくしなければならず、オスコネクタ３０５の外形のサイズが増加してしまうという問題がある。
【０００７】
オスコネクタ３０５のシリンダヘッドへの設置は、上述したように、工具係合部３０１に工具を係合させる必要があることや、オスコネクタ３０５の設置スペースの制約等の理由により、工具係合部を大きくすることは難しい。
【０００８】
本発明は、上記問題点に鑑みてなされたものであり、工具係合部と筒状のフード部を備えたコネクタにおいて、工具係合部のサイズを大きくすることなくフード部に設けられるリブの形状を大きくすることができるコネクタを提供することを目的とする。
【課題を解決するための手段】
【０００９】
請求項１に記載の発明は、多角柱状の工具係合部と、前記工具係合部の中心軸の延伸方向から見たときに、前記工具係合部の内側に位置し、外周の角数が前記工具係合部の角数よりも少ない多角柱の筒状に形成されているフード部と、前記工具係合部の中心軸の延伸方向から見たときに、前記工具係合部の内側で前記フード部の辺部に設けられているリブとを有するコネクタである。
【００１０】
請求項２に記載の発明は、請求項１に記載のコネクタにおいて、前記工具係合部は六角柱状に形成されており、前記フード部は三角柱の筒状に形成されており、前記工具係合部の中心軸の延伸方向から見ると、前記工具係合部の６つの角部のうちで１つおきに配置されている第１群の３つの角部の各偏角のそれぞれと、前記フード部の外周の３つの角部の各偏角のそれぞれとが一致しているコネクタである。
【００１１】
請求項３に記載の発明は、請求項１または請求項２に記載のコネクタにおいて、前記工具係合部の中心軸の延伸方向から見たときに前記工具係合部の内側で前記フード部の外周に設けられ、相手側コネクタが接合されたときに前記相手側コネクタの被係止部が係止される係止部を構成する突出部を有するコネクタである。
【００１２】
請求項４に記載の発明は、多角柱状の工具係合部と、前記工具係合部の中心軸の延伸方向から見たときに、前記工具係合部の内側に位置し、外周の角数が前記工具係合部の角数よりも少ない多角柱で筒状に形成されているフード部とを有し、前記工具係合部の中心軸の延伸方向から見たときに前記工具係合部の内側で前記フード部の辺部に設けられているリブ、前記工具係合部の中心軸の延伸方向から見たときに前記工具係合部の内側で前記フード部の外周に設けられ相手側コネクタが接合されたときに前記相手側コネクタの被係止部が係止される係止部を構成する突出部の少なくともいずれかを具備するコネクタである。
【発明の効果】
【００１３】
本発明によれば、工具係合部のサイズを大きくすることなくフード部に設けられるリブの形状を大きくすることができるコネクタを提供することができるという効果を奏する。
【図面の簡単な説明】
【００１４】
【図１】本発明の実施形態に係るオスコネクタの正面図である。
【図２】図１におけるＩＩ矢視図である。
【図３】変形例に係るオスコネクタの正面図である。
【図４】図３におけるＩＶ−ＩＶ断面図である。
【図５】図４におけるＶ部の拡大図である。
【図６】変形例に係るオスコネクタにメスコネクタを設置した状態を示す断面図である。
【図７】メスコネクタのハウジングの斜視図である。
【図８】図７におけるＶＩＩＩ矢視図である。
【図９】図８におけるＩＸ−ＩＸ断面図である。
【図１０】図７におけるＸ矢視図である。
【図１１】本発明の実施形態に係るオスコネクタの使用状態を示す図である。
【図１２】従来のコネクタを示す図である。
【図１３】参考例に係るコネクタを示す図である。
【図１４】参考例に係るコネクタを示す図である。
【発明を実施するための形態】
【００１５】
本発明の実施形態に係るコネクタ（たとえばオスコネクタ）１は、たとえば、図１１で示すように、燃焼圧センサ素子（図示せず）を一体として有し、エンジン３のシリンダヘッド等のコネクタ設置体５に、たとえば螺合することで締結されて使用されるものであり、図１、図２で示すように、工具係合部（締結部）７とフード部９とリブ１１とを備えて構成されている。なお、工具係合部７は、金属で構成されており、フード部９とリブ１１とは絶縁性を備えた合成樹脂で構成されており、フード部９とリブ１１とは一体成形されている。
【００１６】
工具係合部７は、オスコネクタ１をコネクタ設置体５に締結をするときに使用されるものであり、工具（図示せず）が係合する多角柱状（正多角柱状）に形成されている。
【００１７】
フード部９は、工具係合部７の中心軸Ｃ１の延伸方向の一方の側で工具係合部７に一体的に設けられている。工具係合部７の中心軸Ｃ１の延伸方向から見ると、図１で示すように、フード部９は、工具係合部７の内側に位置しており、また、外周１３の角数が工具係合部７の外周１５の角数よりも少ない多角柱（正多角柱）の筒状に形成されている。
【００１８】
フード部９の中心軸は工具係合部７の中心軸Ｃ１と一致している。また、フード部９の内周の角数も外周の各数と等しくなっており、フード部９の外周１３の各角部１９（１９Ａ，１９Ｂ，１９Ｃ）の偏角のそれぞれと、フード部９の内周１７の各角部２１（２１Ａ，２１Ｂ，２１Ｃ）の偏角のそれぞれとはお互いが一致している。
【００１９】
すなわち、フード部９の中心軸Ｃ１および工具係合部７の中心軸Ｃ１との延伸方向が見たときの中心軸Ｃ１を極座標の原点とし、フード部９の外周１３の各角部１９（１９Ａ，１９Ｂ，１９Ｃ）のうちの所定の１つの角部１９Ａの偏角を０°とすると、フード部９の外周１３の各角部１９（１９Ａ，１９Ｂ，１９Ｃ）の動径ｒｆｏのそれぞれは、お互いが等しくなっており、フード部９の外周１３の各角部１９（１９Ａ，１９Ｂ，１９Ｃ）の偏角θｆｏのそれぞれは、θｆｏ＝（３６０°／ｎｆｏ）×ｍｆｏになっている。ただし、ｎｆｏは、３よりも大きい自然数であり、ｍｆｏは、０、１・・・（ｎｆｏ−１）である。また、フード部９の内周１７の各角部２１（２１Ａ，２１Ｂ，２１Ｃ）の動径ｒｆｉ（ただし、ｒｆｉ＜ｒｆｏ）のそれぞれは、お互いが等しくなっており、フード部９の内周１７の各角部２１（２１Ａ，２１Ｂ，２１Ｃ）の偏角θｆｉのそれぞれは、偏角θｆｏのそれぞれと等しくなっている。これにより、フード部９の肉厚がほぼ一定になっている。
【００２０】
また、工具係合部７の外周１５の各角部２３（２３Ａ，２３Ｂ，２３Ｃ，２３Ｄ，２３Ｅ，２３Ｆ）の動径ｒｔｏ（ただし、ｒｆｏ＜ｒｔｏ）のそれぞれは、お互いが等しくなっており、工具係合部７の外周１５の各角部２３（２３Ａ，２３Ｂ，２３Ｃ，２３Ｄ，２３Ｅ，２３Ｆ）の偏角θｔｏのそれぞれは、θｔｏ＝（３６０°／ｎｔｏ）×ｍｔｏになっている。ただし、ｎｔｏは、ｎｆｏよりも大きい自然数であり、ｍｔｏは、０、１、・・・（ｎｔｏ−１）である。
【００２１】
さらに、詳しくは後述するが、フード部９の外周１３の各角部１９（１９Ａ，１９Ｂ，１９Ｃ）のうちの少なくとも１つの角部の偏角θｆｏと、工具係合部７の外周１５の各角部２３（２３Ａ，２３Ｂ，２３Ｃ，２３Ｄ，２３Ｅ，２３Ｆ）のうちの少なくとも１つの角部の偏角θｔｏとはお互いが一致していることが望ましい。
【００２２】
また、工具係合部７の中心軸Ｃ１の延伸方向から見ると、工具係合部７は正六角形状に形成されているが、フード部９の外周１３は、たとえば、概ね正三角形状に形成されており、完全な正三角形状に形成されているのではない。
【００２３】
つまり、フード部９の各辺部２５は、外側に凸な円弧状（半径が大きい円弧であってほぼ直線とみなせる程度の円弧状）に形成されている。なお各辺部２５が直線状であってもよい。フード部９の各角部１９は尖っておらず円弧状に丸められている。
【００２４】
また、リブ１１は、工具係合部７の中心軸Ｃ１の延伸方向から見たときに、フード部９の外周１３の各辺部２５（２５Ａ，２５Ｂ，２５Ｃ）であって工具係合部７の各角部２３のうちの所定の角部２３Ｂ，２３Ｃ，２３Ｆと向かい合っている（対向している）辺部に設けられている。さらに説明すると、リブ１１は、工具係合部７の中心軸Ｃ１の延伸方向から見たときに、工具係合部７の内側に設けられており、各辺部２５は、お互いが隣接する角部１９の間で延伸している。具体的には、リブ１１Ａは、角部２３Ｂからの距離が最も小さい辺部２５Ａに設けられており、リブ１１Ｂは、角部２３Ｄからの距離が最も小さい辺部２５Ｂに設けられており、リブ１１Ｃは、角部２３Ｆからの距離が最も小さい辺部２５Ｃに設けられている。
【００２５】
工具係合部７の中心軸Ｃ１の延伸方向から見たときに、図１で示すように、リブ１１は、フード部９の外周から外側（フード部９の中心軸Ｃ１から離れる側）に突出している。また、リブ１１は、フード部９の外周１３の辺部２５から工具係合部７の角部（外周１５の角部であって辺部２５に対向している角部）２３のところにわたって設けられていている。
【００２６】
たとえば、１つ目のリブ１１Ａは、辺部２５Ａから角部２３Ｂのところにわたって設けられており、２つ目のリブ１１Ｂは、辺部２５Ｂから角部２３Ｄのところにわたって設けられており、３つ目のリブ１１Ｃは、辺部２５Ｃから角部２３Ｆのところにわたって設けられている。
【００２７】
ただし、必ずしもこのように設けられている必要は無い。たとえば、工具係合部７の中心軸Ｃ１の延伸方向から見たときに、図３で示すように、リブ１１のうちの少なくとも一部のリブ１１が、フード部９の外周１３の辺部２５から工具係合部７の角部２３を離れたところにわたって設けられていてもよい。
【００２８】
たとえば、１つ目のリブ１１Ａが、辺部２５Ａから角部２３Ｂを離れた部位にわたって設けられており、２つ目のリブ１１Ｂが、辺部２５Ｂから角部２３Ｄを離れた部位にわたって設けられており、３つ目のリブ１１Ｃが、辺部２５Ｃから角部２３Ｆのところにわたって設けられていてもよい。
【００２９】
また、図１や図３で示すものでは、リブ１１が、フード部９の外周１３の総ての辺部２５に設けられているが、必ずしもこのように構成されている必要はなく、フード部９の外周１３の各辺部２５のうちの少なくとも１つの辺部にリブ１１が設けられていてもよい。
【００３０】
オスコネクタ１についてさらに説明すると、上述したように、オスコネクタ１の工具係合部７は六角柱状に形成されており、フード部９は三角柱の筒状に形成されている。
【００３１】
また、工具係合部７の中心軸Ｃ１の延伸方向から見ると、図１、図３で示すように、工具係合部７は正六角形状に形成されているが、フード部９の外周１３は概ね正三角形状に形成されており、上述したように、完全な正三角形状に形成されているのではない。
【００３２】
工具係合部７の中心軸Ｃ１の延伸方向から見ると、工具係合部７の６つの角部２３（２３Ａ〜２３Ｆ）のうちで１つおきに配置されている第１群の３つの角部２３Ａ，２３Ｃ，２３Ｅの各偏角０°，１２０°，２４０°のそれぞれと、フード部９の外周１３の３つの角部１９Ａ，１９Ｂ，１９Ｃの各偏角のそれぞれとがお互いに一致している（各偏角のそれぞれが０°，１２０°，２４０°になっている）。
【００３３】
リブ１１は、フード部９の外周１３の辺部２５（たとえば３つ辺部２５Ａ，２５Ｂ，２５Ｃ）それぞれの中間部（たとえば中央部）に設けられている。リブ１１（１１Ａ，１１Ｂ，１１Ｃ）は、工具係合部７の第１群の以外の第２群の３つの角部２３Ｂ，２３Ｄ，２３Ｆのところにわたって設けられている。
【００３４】
すなわち、工具係合部７の外周１５の各角部２３の偏角θｔｏのそれぞれは、θｔｏ＝０°、６０°、１２０°、１８０°、２４０°、３００°になっており、フード部９の外周１３の各角部１９の偏角θｆｏのそれぞれは、０°、１２０°、２４０°になっている。リブ１１の偏角θｔｏのそれぞれは、６０°、１８０°、３００°になっている。
【００３５】
なお、上述したように、リブ１１Ａ，１１Ｂが、角部２３Ｂ，２３Ｄから離れていてもよい（図３参照）。
【００３６】
また、工具係合部７の中心軸Ｃ１の延伸方向から見ると、図１等で示すように、工具係合部７の第１群の３つの角部２３Ａ，２３Ｃ，２３Ｅの各偏角のそれぞれと、フード部９の外周１３の３つの角部１９Ａ，１９Ｂ，１９Ｃの各偏角のそれぞれとがお互いに一致しているが、角部２３Ａは角部１９Ａよりも外側（中心軸Ｃ１から離れた側）に位置しており、角部２３Ｃは角部１９Ｂよりも外側（中心軸Ｃ１から離れた側）に位置しており、角部２３Ｅは角部１９Ｃよりも外側（中心軸Ｃ１から離れた側）に位置している。
【００３７】
また、工具係合部７の中心軸Ｃ１の延伸方向から見ると、図１等で示すように、フード部９の外周１３の円弧状に丸められている各角部１９の円弧が、工具係合部７の一対の辺部３９に接しているかもしくはごくわずかに離れている。すなわち、角部１９Ａの円弧が辺部３９Ｆと辺部３９Ａとに近接しており、角部１９Ｂの円弧が辺部３９Ｂと辺部３９Ｃとに近接しており、角部１９Ｃの円弧が辺部３９Ｄと辺部３９Ｅとに近接している。
【００３８】
また、図示してはいないが、工具係合部が八角柱状に形成されており、フード部が四角柱状の筒状に形成されており、工具係合部の中心軸の延伸方向から見ると、工具係合部の８つの角部のうちで１つおきに配置されている第１群の４つの角部の各偏角のそれぞれとフード部の外周の４つの角部の各偏角のそれぞれとがお互いに一致しており、リブが、フード部の外周の辺部（たとえば４つ辺部それぞれ）の中間部から、工具係合部の第１群の以外の第２群の４つの角部のところにわたって設けられていてもよい。
【００３９】
さらに、工具係合部が１０角柱状等の偶数の柱状に形成されており、フード部が工具係合部の半分の角部の柱状で筒状に形成されており、工具係合部の各角部のうちで１つおきに配置されている第１群の各角部のそれぞれとフード部の外周の各角部のそれぞれとの偏角がお互いに一致しており、リブが、フード部の外周の各辺部の中間部から、工具係合部の第１群の以外の第２群の各角部のところにわたって設けられていてもよい。
【００４０】
ところで、オスコネクタ１には、図６等で示すように、相手側コネクタ（たとえばメスコネクタ）２７が接合されるように構成されている。
【００４１】
オスコネクタ１のフード部９には、図３等で示すように、突出部２９が設けられている。突出部２９は、工具係合部７の中心軸Ｃ１の延伸方向から見たときに工具係合部７の内側でフード部９の外周１３に設けられており、工具係合部７の中心軸Ｃ１から離れる側に突出している。また、突出部２９は、図６等で示すように、メスコネクタ２７が接合されたときにメスコネクタ２７の被係止部３１が係止される係止部３３を構成している。
【００４２】
そして、メスコネクタ２７をオスコネクタ１に接合するときにメスコネクタ２７の被係止部３１が突出部２９を乗り越えることで、被係止部３１が係止部３３に係止されてオスコネクタ１にメスコネクタ２７が接合されるように構成されている。
【００４３】
さらに説明すると、フード部９は、図４等で示すように、筒状のシール設置部３５と内部にオス端子４３が設けられる筒状の端子設置部３７とを備えて構成されている。端子設置部３７の中心軸の延伸方向の一方の側にシール設置部３５が位置しており、端子設置部３７の中心軸の延伸方向の他方の側に工具係合部７が位置している。端子設置部３７の中心軸とシール設置部３５の中心軸と工具係合部７の中心軸Ｃ１とはお互いが一致している。
【００４４】
筒状のシール設置部３５の外径（外形）と筒状の端子設置部３７の外径（外形）とはお互いがほぼ等しくなっている。筒状のシール設置部３５の内径（外形）は筒状の端子設置部３７の内径（内形）よりも大きくなっている。
【００４５】
突出部２９は、たとえば、工具係合部７の中心軸Ｃ１の延伸方向から見たときに、図３で示すように、フード部９の角部１９Ｂから工具係合部７の角部２３Ｃのところにわたって設けられている。
【００４６】
また、係止部３３は凹部４１を備えて構成されている。凹部４１は、メスコネクタ２７の被係止部３１の引っ掛かり高さＨ（図５、図６参照）を大きくするためのものであり、突出部２９に隣接して端子設置部３７の外周に設けられており、工具係合部７の中心軸Ｃ１に近づく側に凹んでいる。工具係合部７の中心軸Ｃ１の延伸方向から見たときに、突出部２９の偏角と凹部４１の偏角とはお互いが等しくなっており、工具係合部７の中心軸Ｃ１の延伸方向では、凹部４１は突出部２９よりも工具係合部７側に位置している。
【００４７】
なお、図６では、工具係合部７の中心軸Ｃ１との延伸方向で、凹部４１だけでなく突出部２９も、端子設置部３７の外周に設けられているが、突出部２９を、シール設置部３５に設けてもよいし、シール設置部３５と端子設置部３７とにわたって設けてもよい。
【００４８】
筒状のシール設置部３５の外径（外形）と筒状の端子設置部３７の外径（外形）とがお互いがほぼ等しくなっており、筒状の端子設置部３７の内径が筒状のシール設置部３５の内径よりも小さくなっていることで、筒状の端子設置部３７の筒の肉厚がシール設置部３５の肉厚よりも厚くなっており、凹部４１を設けた箇所における肉厚Ｗ１であっても、シール設置部３５の肉厚より厚くなっている。
【００４９】
メスコネクタ２７は、図６等で示すように、メス端子本体部（相手側端子本体部；インナハウジング）４５とメス端子４７とパッキン（シール）４９と筒状のハウジング（アウタハウジング）５１を備えている。ハウジング５１には、片持ち梁状の弾性アーム５３が設けられている。メスコネクタ２７は、工具係合部７の中心軸Ｃ１の延伸方向で工具係合部７の反対側からオスコネクタ１に接合されるようになっている。メスコネクタ２７がオスコネクタ１に接合されるとき、オスコネクタ１（シール設置部３５と端子設置部３７の一部）がメスコネクタ２７のハウジング５１の内側に入り込むようになっている。このとき、オスコネクタ１の中心軸Ｃ１（端子設置部３７の中心軸）の延伸方向と、メスコネクタ２７のハウジング５１の中心軸の延伸方向とはお互いが一致している。
【００５０】
弾性アーム５３は、筒状のハウジング５１の肉部の一部を構成するようにして、オスコネクタ１の中心軸Ｃ１の延伸方向に伸びている。弾性アーム５３の先端部に設けられている被係止部３１の一部は、筒状のハウジング５１の内側（中心軸Ｃ１側）に突出している。
【００５１】
ここで、オスコネクタ１の中心軸Ｃ１の延伸方向とのハウジング５１の中心軸の延伸方向とがお互いが一致しており、弾性アーム５３の基端が工具係合部７とは反対側に位置し弾性アーム５３の先端が工具係合部７側に位置するようにして、メスコネクタ２７がフード部９を間にして工具係合部７とは反対側に位置しオスコネクタ１から離れている状態を組み付け準備状態とする。
【００５２】
この組み付け準備状態で、メスコネクタ２７を工具係合部７側に移動すると、まず、弾性アーム５３の先端部に被係止部３１が突出部２９に当接し、被係止部３１が突出部２９にのり上げて、弾性アーム５３が外側に弾性変形して撓む。
【００５３】
メスコネクタ２７を工具係合部７側にさらに移動すると、被係止部３１が突出部２９を乗り越えて、凹部４１に到達するとともに、弾性アーム５３が復元し、メスコネクタ２７のオスコネクタ１への接合が終了する。
【００５４】
メスコネクタ２７がオスコネクタ１に接合された状態では、図６等で示すように、メス端子本体部４５がフード部９内に入り込み、オスコネクタ１のオス端子４３とメスコネクタ２７のメス端子４７とがお互いに接続されているとともに、メス端子本体部４５とシール設置部３５との間に環状のパッキン４９が入り込んでオス端子４３とメス端子４７とのシールがされている。
【００５５】
また、メスコネクタ２７がオスコネクタ１に接合された状態では、被係止部３１が凹部４１に入り込み、凹部４１の突出部側端面（突出部２９と凹部４１との境界面であって工具係合部７の中心軸Ｃ１に対して直交する面）５５に、被係止部３１の基端側端面（弾性アーム５３と筒状のハウジング５１の内側に突出している被係止部３１の部位との境界面であって工具係合部７の中心軸Ｃ１に対して直交する面）５７が当接している。このお互いが当接している面の高さ方向の寸法（工具係合部の中心軸に対して直交する所定の一方向の寸法）Ｈは、突出部２９の突出高さと凹部４１の深さとの和（突出部２９の頂上から凹部４１の底かまでの深さ）になっている。
【００５６】
また、ハウジング５１の内周には、図８等で示すように、ハウジング５１の中心軸の遠心方向に延びた溝（細長い凹部）５９が形成されており、メスコネクタ２７がオスコネクタ１に接合されるとき、溝５９にリブ１１が入り、メスコネクタ２７がガイドされ間口合わせがされるようになっている。
【００５７】
次に、各コネクタ１，２７の設置作業について説明する。
【００５８】
まず、オスコネクタ１をエンジン３のシリンダヘッドに設置する。この設置は、オスコネクタ１の工具係合部７に工具（図示せず）を係合させて、オスコネクタ１を回転させシリンダヘッドに螺合させることでなされる。
【００５９】
次に、上述した組み付け準備状態とし、この組み付け準備状態で、メスコネクタ２７を工具係合部７側に、被係止部３１が突出部２９を乗り越えて凹部４１に到達するまで移動することで、メスコネクタ２７のオスコネクタ１への接合が終了し、オス端子４３とメス端子４７との接続がなされ、パッキン４９によるシールがされる。
【００６０】
オスコネクタ１によれば、工具係合部７の中心軸Ｃ１の延伸方向からみると、フード部９が工具係合部７の内側に位置しており、フード部９の角数が工具係合部７の角数よりも少なくなっており、リブ１１が、工具係合部７の内側でフード部９の外周の辺部２５に設けられているので、フード部９の外周１３の辺部２５と工具係合部７の角部２３との間のスペースを有効利用して、工具係合部７のサイズを大きくすることなくフード部９に設けられるリブ１１を大きくすることができる。
【００６１】
また、工具係合部７のサイズを大きくする必要が無いので、従来から使用していた工具（締結治具）をそのままオスコネクタ１に係合（外嵌）させることができる。
【００６２】
また、オスコネクタ１によれば、工具係合部７が六角柱状に形成されており、フード部９が三角柱状の筒状に形成されており、工具係合部７の中心軸Ｃ１の延伸方向から見ると、工具係合部７の６つの角部２３のうちで１つおきに配置されている第１群の３つの角部２３Ａ，２３Ｃ，２３Ｅのそれぞれと、フード部９の外周１３の３つの角部１９Ａ，１９Ｂ，１９Ｃのそれぞれとの偏角が一致しているので、フード部９の各辺部２５の中央部のそれぞれから工具係合部７の第２群の各角部２３Ｂ，２３Ｄ，２３Ｆのそれぞれのところにわたって設けることかでき、リブ１１の突出高さ（工具係合部７の中心軸Ｃ１から離れる方向の突出高さを）を最も高くしてリブ１１をバランス良く設けることができる。
【００６３】
また、オスコネクタ１によれば、工具係合部７の中心軸Ｃ１の延伸方向から見たときに工具係合部７の内側でフード部９の外周１３に設けられメスコネクタ２７が接合されたときにメスコネクタ２７の被係止部３１が係止される係止部３３を構成する突出部２９を有するので、メスコネクタ２７との係止代を確保し、嵌合状態を確実に維持することができる。
【００６４】
すなわち、図６で示すように、メスコネクタ２７がオスコネクタ１に接合された状態で、被係止部３１が凹部４１に入り込み、凹部４１の突出部側端面５５に、被係止部３１の基端側端面５７が当接している。このお互いが当接している面の高さ方向の寸法Ｈが、突出部２９の突出高さと凹部４１の深さとの和になっているので、凹部４１の深さを深くしなくても突出部２９の突出高さ分だけ、係止代を大きくすることができる。これにより、フード部９の端子設置部３７の筒の肉厚Ｗ１を薄くする必要がなくなり、フード部９の強度が低下することを抑えることができる。
【００６５】
これに対して、参考例に係る図１４で示すものでは、フード部９に突出部２９を設けることなく、凹部４１のみで係止部３３を構成しているので、フード部９筒の肉厚Ｗ１１が薄くなっている。
【００６６】
上述したオスコネクタ１は、工具が係合する多角柱状の工具係合部と、前記工具係合部の一方の側に設けられ、前記工具係合部の中心軸の延伸方向から見たときに、前記工具係合部の内側に位置し、外周の角数が前記工具係合部の角数よりも少ない多角柱状で筒状に形成されているフード部とを有し、前記工具係合部の中心軸の延伸方向から見たときに前記工具係合部の内側で前記フード部の外周の辺部であって前記工具係合部の各角部のうちの所定の角部と向かい合っている辺部に設けられているリブ、前記工具係合部の中心軸の延伸方向から見たときに前記工具係合部の内側で前記フード部の外周に設けられ相手側コネクタが接合されたときに前記相手側コネクタの被係止部が係止される係止部を構成する突出部の少なくともいずれかを具備するコネクタの例である。
【符号の説明】
【００６７】
１  コネクタ（オスコネクタ）
７  工具係合部
９  フード部
１１  リブ
１３  フード部の外周
１９Ａ，１９Ｂ，１９Ｃ  フード部の角部
２３Ａ，２３Ｃ，２３Ｅ  工具係合部の第１群の３つの角部
２５  フード部の外周の辺部
２７  相手側コネクタ（メスコネクタ）
２９  突出部
３１  被係止部
３３  係止部
Ｃ１  中心軸
【図１】
2015225834.tif 000003
【図２】
2015225834.tif 000004
【図３】
2015225834.tif 000005
【図４】
2015225834.tif 000006
【図５】
2015225834.tif 000007
【図６】
2015225834.tif 000008
【図７】
2015225834.tif 000009
【図８】
2015225834.tif 000010
【図９】
2015225834.tif 000011
【図１０】
2015225834.tif 000012
【図１１】
2015225834.tif 000013
【図１２】
2015225834.tif 000014
【図１３】
2015225834.tif 000015
【図１４】
2015225834.tif 000016